(57)【要約】【課題】  容易な構成により、表示板の背後の奥行き感を強調して、立体感に富む斬新な見映えの表示装置を提供する。【解決手段】  液晶パネル２の裏側に発光ダイオード６からの光の入射角度を変化させることにより光の出射角度を変化させる部位としての曲面状の側壁３１を備えるプリズム板３を配置し、拡散板５で拡散反射された発光ダイオード６からの光によりプリズム板３を介して液晶パネル２を透過照明している。この時、側壁３１は、内周側が黒く外周側に向かうに連れて徐々に明るくなる一定の幅を有する楕円として視認される。したがって、視認者が本発明の第１実施形態によるコンビネーションメータ１を見ると、液晶パネル２の背後に視認方向に奥行きを有する空間が存在するように視認される。これにより、立体感に富んだ斬新な見映えのコンビネーションメータ１を実現することができる。【選択図】        図２
2005257794.tif 000002
【特許請求の範囲】
【請求項１】
表示意匠を表示する表示部と、
前記表示部の背面に配置され、前記表示部に光を透過照明させる光源と、
前記表示部の視認側および前記背面側の少なくともいずれか一方に配置され、前記光源からの光の入射角度を変化させることにより光の出射角度を変化させる部位を有する光透過率制御手段とを具備したことを特徴とする表示装置。
【請求項２】
前記光透過率制御手段の前記部位は、前記表示部の前記表示意匠を取り囲む位置に配置されていることを特徴とする請求項１に記載の表示装置。
【請求項３】
前記部位は前記光透過率制御手段の外周部に配置されており、該部位に対する前記入射角度が前記外周部に向かうに連れて減少するように該部位が構成されていることを特徴とする請求項１または請求項２に記載の表示装置。
【請求項４】
表示意匠を備える表示板と、
前記表示板の背面に配置された光源と、
前記表示板と前記光源との間に配置され前記光源からの光を拡散させる拡散板とを備え、
前記拡散板を透過した前記光源からの光により前記表示板を透過照明する表示装置において、
前記表示板の視認側および前記背面側の少なくともいずれか一方に配置され、前記光源からの光の入射角度を変化させることにより光の出射角度を変化させる部位を有する光透過率制御手段を配置し、
前記光透過率制御手段の前記部位は、前記表示意匠近傍且つ前記光透過率制御手段の表側表面および裏側表面の少なくとも一方の一部に形成された曲面あるいは前記表示板に対して傾斜する傾斜面であることを特徴とする表示装置。
【請求項５】
前記光透過率制御手段の前記部位は、少なくとも一部が前記光透過率制御手段の外方に突出するように形成されることを特徴とする請求項４に記載の表示装置。
【請求項６】
複数の前記光透過率制御手段を重ねて配置したことを特徴とする請求項４または請求項５に記載の表示装置。
【請求項７】
前記光透過率制御手段は視認方向に貫通する孔を有し且つ前記光透過率制御手段の前記部位は該孔の外周側に略同心上に形成されることを特徴とする請求項４ないし請求項６のいずれかに記載の表示装置。
【請求項８】
前記表示板は透過型液晶表示器であり且つ前記表示意匠は該透過型液晶表示器上の画像であることを特徴とする請求項４ないし請求項７のいずれかに記載の表示装置。
【発明の詳細な説明】
【技術分野】
【０００１】
本発明は、たとえば、自動車の運転席に設置されて当該自動車に関する様々な情報を運転者が視認可能に表示する表示装置に関するものである。
【背景技術】
【０００２】
従来の表示装置としては、たとえば、透過型液晶表示器と、透過型液晶表示器を背面より照らす発光手段と、透過型液晶表示器の後方に配置されて発光手段よりの光を拡散させる拡散シートと、上記各部品を固定するホルダを備え、拡散シートは発光手段の光を拡散可能であるとともに所定の模様が施されており、透過型液晶表示器と拡散シートとの間に一定の空間を設けた状態でホルダに固定することにより透過型液晶表示器を通して拡散シートの模様を視認可能に構成したものがある（特許文献１参照）。
【０００３】
これにより、液晶表示器上の表示の背景に拡散シート上の模様が重なって視認され、奥行き感や液晶表示器上の表示が浮かび上がって見えるなどの美観を高めることを狙ったものである。
【特許文献１】特開平１０−３４００６０号公報
【発明の開示】
【発明が解決しようとする課題】
【０００４】
しかしながら、従来の表示装置において、透過型液晶表示器の背後に配置される拡散シートは一枚、つまり一層のみであり且つ平面状であるので、液晶表示器上の表示の背景自体は平面的に視認される。したがって、立体感に欠ける見映えとなるという問題がある。
【０００５】
本発明は、上記の問題点に鑑みなされたもので、容易な構成により、表示板の背後の奥行き感を強調して、立体感に富む斬新な見映えの表示装置を提供することを目的とする。
【課題を解決するための手段】
【０００６】
本発明は上記目的を達成する為、以下の技術的手段を採用する。
【０００７】
本発明の請求項１に記載の表示装置は、表示意匠を表示する表示部と、表示部の背面に配置され、表示部に光を透過照明させる光源と、表示部の視認側および背面側の少なくともいずれか一方に配置され、光源からの光の入射角度を変化させることにより光の出射角度を変化させる部位を有する光透過率制御手段とを具備した構成としている。
【０００８】
この構成によれば、光源からの光は、必ず光透過率制御手段を透過して視認者の眼に入射する。すなわち、光源からの光の一部は、光透過率制御手段が備える光源からの光の入射角度を変化させることにより光の出射角度を変化させる部位を透過して視認者の眼に到る。
【０００９】
光源からの光が、光透過率制御手段の部位以外の部分を通過する際、光透過率制御手段の表裏両面への入射角はほぼ０度であり、各面での反射光量は極わずかである。つまり、透過率がほぼ１００％である。
【００１０】
一方、光源からの光が、光透過率制御手段が備える光源からの光の入射角度を変化させることにより光の出射角度を変化させる部位を通過する際は、光源から光の光透過率制御手段の部位である曲面または傾斜面に入射する入射角が０度より大きくなり、曲面または傾斜面での反射光量は増加する。この反射光の進行方向は視認者の眼へ向かう方向から逸れているため視認者の眼には入射しない。その結果、光透過率制御手段の部位を通過して視認者の眼に入射する光量が減少し、光透過率制御手段の部位である曲面または傾斜面部が光透過率制御手段の他の部分よりも暗く視認される。このため、表示部は、その背景部分の明るさが、均一ではなく部分的に変化して視認される。
【００１１】
これにより、表示部の背景部分が視認方向に奥行きを有するように視認されるので、立体感に富んだ斬新な見映えの表示装置を実現することができる。
【００１２】
本発明の請求項２に記載の表示装置は、光透過率制御手段の部位は、表示部の表示意匠を取り囲む位置に配置されている構成としている。
【００１３】
これにより、表示部の表示意匠を表示意匠の背景部よりも視認者側に浮き出しているように見せる、あるいは表示部の表示意匠を表示意匠の背景部よりも視認者から遠ざかる位置にあるように見せることができるので、立体感に富んだ斬新な見映えの表示装置を実現することができる。
【００１４】
本発明の請求項３に記載の表示装置は、部位は光透過率制御手段の外周部に配置されており、部位に対する入射角度が外周部に向かうに連れて減少するように部位が構成されている構成としている。
【００１５】
光透過率制御手段が備える光源からの光の入射角度を変化させることにより光の出射角度を変化させる部位に対する光源からの光の入射角度が０度のときに、部位における光透過率は最大、つまりほぼ１００％となる。そして入射角度が増大するに連れて反射光量が増加し、部位における光透過率は減少していく。
【００１６】
したがって、部位の形状を上述のように構成すれば、部位の光透過率は、部位の内周側で最小となり、外周側に向かうに連れて増大していく。すなわち、部位は、内周から外周に向かって徐々に明るくなるように視認される、言い換えると明るさのグラデーションとして視認される。
【００１７】
これにより、立体感に富んだ斬新な見映えの表示装置を実現することができる。
【００１８】
本発明の請求項４に記載の表示装置は、表示意匠を備える表示板と、表示板の背面に配置された光源と、表示板と光源との間に配置され光源からの光を拡散させる拡散板とを備え、拡散板を透過した光源からの光により表示板を透過照明する表示装置において、表示板の視認側および背面側の少なくともいずれか一方に配置され、光源からの光の入射角度を変化させることにより光の出射角度を変化させる部位を有する光透過率制御手段を配置し、光透過率制御手段の部位は、表示意匠近傍且つ光透過率制御手段の表側表面および裏側表面の少なくとも一方の一部に形成された曲面あるいは表示板に対して傾斜する傾斜面である構成としている。
【００１９】
この構成において、光源から出射した光は拡散板を通過する際に拡散板内で拡散反射されることにより、拡散板の全面からほぼ均一な照度の光として出射する。つまり、本発明の請求項４に記載の表示装置において、拡散板は、照度が均一な面状光源としての機能を果たしている。この拡散板から出射した光は、表示板を透過し、さらに光透過率制御手段を透過して視認者の眼に入射する、あるいは光透過率制御手段を透過し、さらに表示板を透過して視認者の眼に到る。どちらの場合においても、拡散板から出射した光の一部は必ず光透過率制御手段が備える光源からの光の入射角度を変化させることにより光の出射角度を変化させる部位を透過して視認者の眼に入射する。
【００２０】
拡散板から出射した光が光透過率制御手段の部位以外の部分を通過する際、光透過率制御手段の表裏両面への入射角はほぼ０度であり、各面での反射光量は極わずかである。
【００２１】
一方、拡散板から出射した光が光透過率制御手段の部位を通過する際は、拡散板から出射した光の光透過率制御手段の部位である曲面または傾斜面に入射する入射角が０度より大きくなり、曲面または傾斜面での反射光量は増加する。光透過率制御手段も部位である曲面または傾斜面での反射光は視認者の眼には入射しない。その結果、光透過率制御手段の部位を通過して視認者の眼に入射する光量が減少し、光透過率制御手段の部位である曲面または傾斜面部が光透過率制御手段の他の部分よりも暗く視認される。このため、表示板は、その背景部分の明るさが、均一ではなく部分的に変化して視認される。
【００２２】
これにより、表示板の背景部分が視認方向に奥行きを有するように視認されるので、立体感に富んだ斬新な見映えの表示装置を実現することができる。
【００２３】
本発明の請求項５に記載の表示装置は、光透過率制御手段の部位は、少なくとも一部が光透過率制御手段の外方に突出するように形成される構成としている。
【００２４】
この場合、光透過率制御手段の外方に突出するように形成される部分の表面は、曲面あるいは表示板に対して傾斜する傾斜面となり、本発明の請求項４に記載の表示装置の場合と同様の効果が得られ、表示板の背景部分が視認方向に奥行きを有するように視認されるので、立体感に富んだ斬新な見映えの表示装置を実現することができる。
【００２５】
本発明の請求項６に記載の表示装置は、複数の光透過率制御手段を重ねて配置した構成としている。
【００２６】
この場合、複数の光透過率制御手段が、視認方向に或る距離を隔てて配置されている。言い換えると、複数の光透過率制御手段が、視認者の眼からの距離が異なる位置に配置されている。
【００２７】
これにより、表示板の背景部分の立体感をより一層強調することができるので、立体感に富んだ斬新な見映えの表示装置を実現することができる。
【００２８】
本発明の請求項７に記載の表示装置は、光透過率制御手段は視認方向に貫通する孔を有し且つ光透過率制御手段の部位は孔の外周側に略同心上に形成される構成としている。
【００２９】
この場合、光透過率制御手段において、孔の部分では光透過率が１００％となるので、光透過率制御手段における透過光量制限効果、すなわち光透過率制御手段が備える光源からの光の入射角度を変化させることにより光の出射角度を変化させる部位とそれ以外の部分との透過光量の差や変化を一層際立たせることができる。
【００３０】
本発明の請求項８に記載の表示装置は、表示板は透過型液晶表示器であり且つ表示意匠は透過型液晶表示器上の画像である構成としている。
【００３１】
ここで、透光性部材が着色等の光透過率を低下させる処理が施されている場合、開口部は、無色透明領域、すなわち光透過率が高い領域となるので、輪郭意匠である開口部の周縁部は、視認者により、明るさの異なる領域の境界線として認識される。
【００３２】
この場合、透過型液晶表示器の表示画面において、表示意匠の背景部分の立体感を強調することができるので、立体感に富んだ斬新な見映えの表示装置を実現することができる。
【発明を実施するための最良の形態】
【００３３】
以下、本発明による表示装置を、自動車に搭載されるコンビネーションメータ１に適用した場合を例に、図面に基づいて説明する。
【００３４】
（第1実施形態）
図１は、本発明の第１実施形態による表示装置であるコンビネーションメータ１の部分正面図である。
【００３５】
図２は、本発明の第１実施形態によるコンビネーションメータ１の断面図であり、図１中のＩＩ−ＩＩ線断面図である。
【００３６】
図３は、本発明の第１実施形態によるコンビネーションメータ１におけるプリズム板３が備える光透過率制御手段としての側壁３１部における光の進行経路を説明する模式図である。
【００３７】
図４は、図３中のＩＶ矢視図である。
【００３８】
図５は、本発明の第１実施形態によるコンビネーションメータ１の電気回路構成を説明する模式図である。
【００３９】
コンビネーションメータ１は、当該自動車の車室内前方のインストルメントパネル内に配置され、当該自動車の作動状態に関する各種情報を液晶パネル２の表示画面２１上に画像として形成して、運転者に視認させるものである。
【００４０】
以下に、本発明の第１実施形態によるコンビネーションメータ１の構成について説明する。
【００４１】
透過型液晶表示器である液晶パネル２は、図２に示すように、コンビネーションメータ１の文字板９に設けられた開口孔９ａに嵌合させて取り付けられている。図２において、右方が運転席であり、したがって、コンビネーションメータ１は、図２において、右側から視認される。また、液晶パネル２は、本発明の第１実施形態においては、図１に示すように、自動車の走行速度を数字で表示する、いわゆるデジタル式速度計として用いられている。
【００４２】
液晶パネル２の裏側、つまり図２における左側には、光透過率制御手段であるプリズム板３が配置されている。プリズム板３は、無色透明なポリカーボネート樹脂、アクリル樹脂等から形成されている。プリズム板３は、図２に示すように、視認方向（図２中において左右方向）にへこんだ凹部３２を備えている。凹部３２の底部３３の輪郭形状は、図１に示すように、楕円形状に形成されている。また、光透過率制御手段が備える光源からの光の入射角度を変化させることにより光の出射角度を変化させる部位としての、凹部３２の側壁３１は、図２に示すように、その断面が曲線である曲面状に形成されている。本発明の第１実施形態によるコンビネーションメータ１においては、この断面曲線は略円弧状に設定されている。また、プリズム板３の液晶パネル２と反対側（図２中において左側）には、後述する光源である発光ダイオード６からの光を拡散させる拡散板５が配置されている。
【００４３】
拡散板５は、透光性材料、たとえばポリカーボネート樹脂、アクリル樹脂等により液晶パネル２と略同一平面形状の板状に形成されている。拡散板５には、入射した発光ダイオード６からの光を拡散反射する拡散反射層が設けられている。拡散反射層としては、たとえばシボ面、網点印刷層、または明色（白色、銀色等）印刷層がある。拡散板５に入射した発光ダイオード６からの光を拡散反射層で反射して拡散板５から出射させることにより、拡散板５に発光照度を、拡散板５全域においてほぼ均一にすることができる。すなわち、拡散板５は、均一照度で発光する面発光光源として機能し、これにより、液晶パネル２の発光照度を均一化して良好な見映えのコンビネーションメータ１を実現することができる。
【００４４】
拡散板５の背後（図２中において左側）には、液晶パネル２を透過照明するための光源である発光ダイオード６が配置されている。発光ダイオード６は、図２に示すように、プリント基板７上に実装固定されている。また、プリント基板７には、外部からの電気信号、すなわち車速センサ１３からの検出信号に基づいて液晶パネル２を駆動して車速を表示させるとともに、発光ダイオード６の点灯を制御する制御回路１０が実装されている。制御回路１０は、たとえばマイクロコンピュータ等から構成されている。
【００４５】
以上説明した、各構成部品、すなわち液晶パネル２、プリズム板３、拡散板５、および発光ダイオード６が実装されたプリント基板７等は、たとえば樹脂材料等から形成されるケーシング８内に収容固定されている。また、ケーシング８は、図２に示すように、文字盤９の裏面に固定されている。
【００４６】
次に、本発明の第１実施形態によるコンビネーションメータ１の特徴である、光透過率制御手段としてのプリズム板３が備える発光ダイオード６からの光の入射角度を変化させることにより光の出射角度を変化させる部位である側壁３１の作用効果、すなわちコンビネーションメータ１の見映え向上に及ぼす効果について、図３および図４に基づいて説明する。
【００４７】
発光ダイオード６からの光の入射角度を変化させることにより光の出射角度を変化させる部位である側壁３１は、視認方向（図３において左右方向）から見ると、図４に示すように、一定の幅を有する楕円のリング状に見える。
【００４８】
拡散板５から出射してプリズム板３に入射した光の一部は、プリズム板３が備える光透過率制御手段である側壁３１に入射する。側壁３１は、その断面形状が、図３に示すように、円弧状に形成されているので、拡散板５から出射した光が側壁３１に入射するときの入射角は、側壁３１上の場所により変化している。すなわち、側壁３1の底部３３側の端部において、入射角は最大値となっており、底部３３から遠ざかる、つまりプリズム板３の外周側へ向かうに連れて入射角は減少していく。
【００４９】
このとき、側壁３１において、図３に示すように、拡散板５からの光の入射角θ１がプリズム板３の材質の全反射角θＲよりも大きい部分では、拡散板５から出射し側壁３１へ入射した光は側壁３１で全反射されるので、側壁３１から液晶パネル２へ向かって出射する光はほとんど無い。すなわち、光透過率がほぼ０となっている。
【００５０】
一方、側壁３１において、図３に示すように、拡散板５からの光の入射角θ２がプリズム板３の材質の全反射角θＲよりも小さい部分では、拡散板５から出射し側壁３１へ入射した光の一部は側壁３１で反射されて再び側壁３１内を進行し、残りは側壁３１から液晶パネル２へ向かって出射する。この場合、拡散板５からの光の入射角θ２がプリズム板３の材質の全反射角θＲより小さくなるほど、つまりプリズム板３の外周側へ近づくほど、側壁３１から出射して液晶パネル２へ向かう光量が増加する。すなわち、側壁３１への入射角が全反射角θＲより小さくなるに連れて光透過率が増大していく。
【００５１】
以上をまとめると、発光ダイオード６からの光の入射角度を変化させることにより光の出射角度を変化させる部位である側壁３１は、図４に示すように、一定の幅を有する楕円のリング状を成し、その内周側の所定幅の部分においては光透過率が０であり、そこから外周側に向かうに連れて光透過率が増大する。そして、側壁３１の外周部において光透過率は最大、すなわちプリズム板３の側壁３１より外周側の平面部と同様となっている。つまり、プリズム板３においては、均一照度の明るい背景の中に、側壁３１は、その内周側が黒く外周側に向かうに連れて徐々に明るくなっている一定の幅を有する楕円のリングとして視認される。
【００５２】
すなわち、視認者が本発明の第１実施形態によるコンビネーションメータ１を見ると、液晶パネル２の背景部分に、内周側が黒く外周側に向かうに連れて徐々に明るくなっている一定の幅を有する楕円のリングが視認される。
【００５３】
一般的に、視認対象の明るさが徐々に変化する、たとえばだんだん暗くなるように変化する場合、暗い部分ほど視認者から遠くにあるように感じられる。
【００５４】
したがって、本発明の第１実施形態によるコンビネーションメータ１の場合は、液晶パネル２の背景部分が、外周側から内周側に向かうにしたがって視認者から遠ざかるように、言い換えると視認方向に奥行きを有するように視認される。
【００５５】
これにより、立体感に富んだ斬新な見映えのコンビネーションメータ１を実現することができる。
【００５６】
次に、本発明の第１実施形態によるコンビネーションメータ１の電気回路構成について、図５の電気回路構成を示す模式図に基づき説明する。
【００５７】
本発明の第１実施形態によるコンビネーションメータ１において、図５に示すように、制御回路１０には、バッテリ１２から電力が常時供給されている。また、制御回路１０には、イグニッションスイッチ１１が、その作動状態（ＯＮまたはＯＦＦ）を検出可能に接続されている。また、制御回路１０には、液晶パネル２および発光ダイオード６が接続されている。さらに、制御回路１０には、当該自動車の走行速度を検出する車速センサ１３が検出信号を入力可能に接続されている。
【００５８】
運転者によりイグニッションスイッチ１１がＯＮされると、制御回路１０は、発光ダイオード６を点灯させる。これにより、液晶パネル２が透過照明され液晶パネル２上に形成される画像が視認可能となる。同時に、制御回路１０は、車速センサ１３からの検出信号に基づき、当該自動車の走行速度を表示するように液晶パネル２を駆動する。これにより、液晶パネル２上には当該自動車の走行速度がデジタル値として形成されるとともに、それが拡散板５を介して発光ダイオード６からの光により透過照明されて、運転者により明瞭に視認される。
【００５９】
以上説明した、本発明の第１実施形態によるコンビネーションメータ１においては、液晶パネル２の裏側に発光ダイオード６からの光の入射角度を変化させることにより光の出射角度を変化させる部位としての曲面状の側壁３１を備えるプリズム板３を配置し、拡散板５を通過した発光ダイオード６からの光は、プリズム板３を透過して液晶パネル２を透過照明するように構成している。
【００６０】
この場合、側壁３１は、内周側が黒く外周側に向かうに連れて徐々に明るくなっている一定の幅を有する楕円のリングとして視認される。
【００６１】
したがって、視認者が本発明の第１実施形態によるコンビネーションメータ１を見ると、液晶パネル２の背景部分が、外周側から内周側に向かうにしたがって視認者から遠ざかるように、言い換えると液晶パネル２の背後に視認方向に奥行きを有する空間が存在するように視認される。
【００６２】
これにより、立体感に富んだ斬新な見映えのコンビネーションメータ１を実現することができる。
【００６３】
（第２実施形態）
図６は、本発明の第２実施形態によるコンビネーションメータ１の部分正面図である。
【００６４】
本発明の第２実施形態によるコンビネーションメータ１では、本発明の第１実施形態によるコンビネーションメータ１に対してプリズム板３の位置を変更している。すなわち、本発明の第２実施形態によるコンビネーションメータ１では、プリズム板３を、図６に示すように、液晶パネル２の表側、つまり視認者側に配置している。
【００６５】
この場合も、プリズム板３は、本発明の第１実施形態によるコンビネーションメータ１の場合と同様に、均一照度の明るい背景の中に、側壁３１が、内周側が黒く外周側に向かうに連れて徐々に明るくなっている一定の幅を有する楕円のリングとして視認される。
【００６６】
一方、液晶パネル２は、プリズム板３により演出される視認方向に奥行きを有する空間の一番奥側、視認者から遠い部分に配置されるように視認される。
【００６７】
これにより、立体感に富んだ斬新な見映えのコンビネーションメータ１を実現することができる。
【００６８】
（第３実施形態）
図７は、本発明の第３実施形態によるコンビネーションメータ１の部分正面図である。
【００６９】
本発明の第３実施形態によるコンビネーションメータ１では、本発明の第１実施形態によるコンビネーションメータ１に対して、プリズム板３の形状を変更している。すなわち、本発明の第２実施形態によるコンビネーションメータ１では、図７に示すように、本発明の第１実施形態によるプリズム板３の底部３３を除去して貫通孔３４としている。
【００７０】
この場合も、プリズム板３は、本発明の第１実施形態によるコンビネーションメータ１の場合と同様に、均一照度の明るい背景の中に、側壁３１が、内周側が黒く外周側に向かうに連れて徐々に明るくなっている一定の幅を有する楕円のリングとして視認される。
【００７１】
したがって、視認者が本発明の第１実施形態によるコンビネーションメータ１を見ると、液晶パネル２の背景部分が、外周側から内周側に向かうにしたがって視認者から遠ざかるように、言い換えると液晶パネル２の背後に視認方向に奥行きを有する空間が存在するように視認される。
【００７２】
これにより、立体感に富んだ斬新な見映えのコンビネーションメータ１を実現することができる。
【００７３】
（第４実施形態）
図８は、本発明の第４実施形態によるコンビネーションメータ１の部分正面図である。
【００７４】
本発明の第４実施形態によるコンビネーションメータ１では、本発明の第２実施形態によるコンビネーションメータ１に対して、プリズム板３自体を発光表示させる構成としている。すなわち、図７に示すように、プリント基板７上に発光ダイオード１４を実装し、発光ダイオード１４が発する光をプリズム板３内に導入している。プリズム板３に入射した発光ダイオード１４からの光は、図７に示すように、反射面３５で反射し、さらに液晶パネル２表面等で反射を繰り返しながらプリズム板３から出射する。
【００７５】
この場合、プリズム板３は、発光ダイオード１４からの光によって透過照明されることにより、発光ダイオード６からの光の入射角度を変化させることにより光の出射角度を変化させる部位である側壁３１の立体感がより一層強調されることになる。
【００７６】
これにより、より一層立体感に富む斬新な見映えのコンビネーションメータ１を実現することができる。
【００７７】
なお、以上説明した本発明の第１〜第４実施形態においては、いずれの場合も、プリズム板３に設けられた発光ダイオード６からの光の入射角度を変化させることにより光の出射角度を変化させる部位である側壁３１の形状は、その断面形状が、図３に示すように、視認者側に凸である円弧状に形成されている。しかし、側壁３１の断面形状を、視認者側に凸である円弧上に限定する必要は無く、他の形状に設定してもよい。たとえば、図９（ａ）に示すように、視認者側に凹である楕円状としてもよい。または、図９（ｂ）に示すように、液晶パネル２に対して傾斜する直線状としてもよい。あるいは、図９（ｃ）に示すように、曲線Ｃと直線Ｓの組み合わせとしてもよい。
【００７８】
また、以上説明した本発明の第１〜第４実施形態においては、いずれの場合も、プリズム板３が備える発光ダイオード６からの光の入射角度を変化させることにより光の出射角度を変化させる部位である側壁３１は、プリズム板３の表側、つまり視認者側に設けられている。しかし、側壁３１をプリズム板３の表側である視認者側に設ける必要は無く、図１０に示すように、プリズム板３の裏側、つまり視認者と反対側に設けてもよい。
【００７９】
また、以上説明した本発明の第１〜第４実施形態においては、いずれの場合も、プリズム板３が備える発光ダイオード６からの光の入射角度を変化させることにより光の出射角度を変化させる部位である側壁３１は、平板上のプリズム板３の板厚方向において内側に形成されているが、これを、図１１に示すように、平板上のプリズム板３の板厚方向において外側に形成してもよい。言い換えると、平板上のプリズム板３の表面から外側に突出するように形成してもよい。
【００８０】
（第５実施形態）
図１２は、本発明の第４実施形態によるコンビネーションメータ１の部分正面図である。
【００８１】
以上説明した本発明の第１〜第４実施形態によるコンビネーションメータ１においては、いずれの場合もプリズム板３の個数は一枚であった。
【００８２】
これに対して、本発明の第４実施形態によるコンビネーションメータ１では、プリズム板を２枚、すなわちプリズム板３およびプリズム板４を、図１２に示すように、液晶パネル２の背後に重ねて配置している。
【００８３】
この場合、プリズム板３の発光ダイオード６からの光の入射角度を変化させることにより光の出射角度を変化させる部位である側壁３１と、プリズム板４の光透過率制御手段である側壁４１とが部分的に重なって視認される。このため、視認者は、液晶パネル２の背後の立体形状を、より複雑に認識することになる。
【００８４】
これにより、より一層立体感に富む斬新な見映えのコンビネーションメータ１を実現することができる。
【００８５】
（第６実施形態）
図１３は、本発明の第４実施形態によるコンビネーションメータ１の部分正面図である。
【００８６】
上述した本発明の第５実施形態によるコンビネーションメータ１においては、２枚のプリズム板３、４を液晶パネル２の背後に重ねて配置している。
【００８７】
これに対して、本発明の第６実施形態によるコンビネーションメータ１では、２枚のプリズム板３、４を、液晶パネル２の表側と裏側に配置している。すなわち、図１３に示すように、液晶パネル２の裏側にプリズム板３を、液晶パネル２の表側にプリズム板４をそれぞれ配置している。
【００８８】
この場合、視認者がコンビネーションメータ１を見たときに、プリズム板３の光透過率制御手段である側壁３１およびプリズム板４の発光ダイオード６からの光の入射角度を変化させることにより光の出射角度を変化させる部位である側壁４１の視覚的効果により、液晶パネル２の背後および手前側の両方に奥行き感が感じられる。言い換えると、視認方向に奥行きを持つ空間の中間に液晶パネル２が浮いているように感じられる。
【００８９】
これにより、より一層立体感に富む斬新な見映えのコンビネーションメータ１を実現することができる。
【００９０】
なお、以上説明した、本発明の第１〜第６実施形態によるコンビネーションメータ１においては、光源として発光ダイオード６、１４を用いているが、発光ダイオードに限定する必要はなく、他の種類の光源、たとえば電球、放電管、ＥＬパネル等を用いてもよい。
【００９１】
また、以上説明した、本発明の第１〜第６実施形態によるコンビネーションメータ１においては、液晶パネル２上に当該自動車の走行速度をデジタル表示しているが、表示情報を走行速度に限定する必要は無く、他の種類の情報、たとえばエンジン回転速度、時刻、走行距離、冷却水温度等に置き換える、あるいは追加してもよい。
【００９２】
また、以上説明した、本発明の第１〜第６実施形態によるコンビネーションメータ１においては、透過照明される表示板として液晶パネル２を用いているが、液晶パネル２に限る必要はなく、他の種類の透過照明される表示部材を用いてもよい。
【図面の簡単な説明】
【００９３】
【図１】本発明の第１実施形態による表示装置であるコンビネーションメータ１の部分正面図である。
【図２】本発明の第１実施形態によるコンビネーションメータ１の断面図であり、図１中のＩＩ−ＩＩ線断面図である。
【図３】本発明の第１実施形態によるコンビネーションメータ１のプリズム板３の断面図であり、図１中のＩＩ−ＩＩ線断面図に相当する。
【図４】本発明の第１実施形態によるコンビネーションメータ１のプリズム板３の正面図であり、図３中のＩＶ矢視図である。
【図５】本発明の第１実施形態によるコンビネーションメータ１の電気回路構成を説明する模式図である。
【図６】本発明の第２実施形態によるコンビネーションメータ１の断面図であり、図１のＩＩ−ＩＩ線断面図に相当する。
【図７】本発明の第３実施形態によるコンビネーションメータ１の断面図であり、図１のＩＩ−ＩＩ線断面図に相当する。
【図８】本発明の第４実施形態によるコンビネーションメータ１の断面図であり、図１のＩＩ−ＩＩ線断面図に相当する。
【図９】（ａ）は、本発明の第１〜第４実施形態によるコンビネーションメータ１における変形例の断面図であり、（ｂ）、（ｃ）は、本発明の第１〜第４実施形態によるコンビネーションメータ１における他の変形例の断面図である。
【図１０】本発明の第１〜第４実施形態によるコンビネーションメータ１における他の変形例の断面図である。
【図１１】本発明の第１〜第４実施形態によるコンビネーションメータ１における他の変形例の断面図である。
【図１２】本発明の第５実施形態によるコンビネーションメータ１の断面図であり、図１のＩＩ−ＩＩ線断面図に相当する。
【図１３】本発明の第６実施形態によるコンビネーションメータ１の断面図であり、図１のＩＩ−ＩＩ線断面図に相当する。
【符号の説明】
【００９４】
１    コンビネーションメータ（表示装置）
２    液晶パネル（透過型液晶表示器）
２１    液晶画面（表示面）
２２    文字部（表示意匠）
３    プリズム板（光透過率制御手段）
３１    側壁（部位）
３２    凹部
３３    底面
３４    貫通孔（孔）
３５    反射面
４    プリズム板（光透過率制御手段）
４１    側壁（部位）
５    拡散板
６    発光ダイオード（光源）
７    プリント基板
８    ケーシング
９    文字盤
９ａ    開口部
１０    制御回路
１１    イグニッションスイッチ
１２    バッテリ
１３    車速センサ
１４    発光ダイオード
Ｃ    曲線
Ｓ    直線
θ１    入射角
θ２    入射角
θＲ    全反射角
【図１】
2005257794.tif 000003
【図２】
2005257794.tif 000004
【図３】
2005257794.tif 000005
【図４】
2005257794.tif 000006
【図５】
2005257794.tif 000007
【図６】
2005257794.tif 000008
【図７】
2005257794.tif 000009
【図８】
2005257794.tif 000010
【図９】
2005257794.tif 000011
【図１０】
2005257794.tif 000012
【図１１】
2005257794.tif 000013
【図１２】
2005257794.tif 000014
【図１３】
2005257794.tif 000015